(57)【要約】【課題】  景観パネルの取付けが容易となると共に、前面の傾斜や設置体との距離を調整することが容易にできる景観パネル取付構造体を提供する。【解決手段】  景観パネル取付構造体１７において、景観パネル１９は設置体２１に対して水平支持構造２４及び垂直支持構造３１によって取り付けられる。水平支持構造２４においてターンバックル２６を回転させることによって景観パネル１９の上方部の水平方向の位置が調整できる。垂直支持構造３１においては、景観パネル１９に取り付けられているフック３４が鋼製矢板２２に取り付けられている支持体３８に係合する。これによって景観パネル１９は支持体３８を支点として回動自在となり、且つ、支持体３８の軸方向に対する移動調整が容易となる。【選択図】      図１
2007002543.tif 000002
【特許請求の範囲】
【請求項１】
護岸等の壁面構造よりなる設置体の前面上方に景観パネルを取り付けるための景観パネル取付構造体であって、
前記設置体の前面に取り付けられた支持体と、
前記景観パネルの背面に取り付けられ、前記支持体に着脱自在に係合すると共に係合位置を支点として前記景観パネルを回動自在とするフックと、
前記景観パネルの背面であって、前記フックより上方の位置と、前記設置体との間に設けられ、前記景観パネルの水平方向の位置を固定する水平支持構造とを備えた、景観パネル取付構造体。
【請求項２】
前記支持体は、前記前面より所定距離離れ、前記前面に沿って水平方向に伸びる円柱形状を有し、
前記フックは開放部が開いた逆Ｕの字形状の棒体よりなり、その構成面が前記景観パネルの背面に直交する、請求項１記載の景観パネル取付構造体。
【請求項３】
前記フックは、前記背面より所定距離離れ、前記背面に沿って水平方向に伸びる円柱形状を有し、
前記支持体は、前記フックを支持し得る開放部が拡大した半円形状の切欠きをその上辺に有した平板形状を有し、その構成面が前記設置体の前面に直交する、請求項１記載の景観パネル取付構造体。
【請求項４】
前記支持体は、前記前面に沿って水平方向に伸び、一対の側壁部を有する断面コの字状を有し、開放面を上方とすると共に、前記側壁部の一方が前記設置体に取り付けられ、
前記フックは前記側壁部の他方に係合する開放部が開いた切欠きをその下辺に有した平板形状を有し、その構成面が前記景観パネルの背面に直交する、請求項１記載の景観パネル取付構造体。
【請求項５】
前記水平支持構造は、
前記景観パネルに接続される第１ボルトと、前記設置体に接続される第２ボルトと、前記第１ボルトと前記第２ボルトとの間に設けられ、これらの間隔を増減することができるターンバックルとを含む、請求項１から請求項４のいずれかに記載の景観パネル取付構造体。
【請求項６】
前記水平支持構造は、
前記背面にその構成面が直交するように取り付けられ、上下方向に伸びる長穴が形成された支持板と、
その一端が前記長穴を介して前記支持板に上下に移動自在となるように係合する水平アームと、
前記水平アームの他端に接続され、前記設置体の上面に取り付けられた固定体と、
前記水平アームの他端に接続され、前記固定体に係合して前記水平アームの水平位置を変化させる調整手段とを含む、請求項１から請求項４のいずれかに記載の景観パネル取付構造体。
【発明の詳細な説明】
【技術分野】
【０００１】
この発明は景観パネル取付構造体に関し、特に鋼製矢板等からなる護岸等の壁面構造の前面上方に景観パネルを取り付けるための景観パネル取付構造体に関するものである。
【背景技術】
【０００２】
図１４は特許文献１の図１に示されている従来の景観パネルの取付構造を示す概略側面図である。
【０００３】
図を参照して、鋼製矢板２２の前面上方に景観パネル１９が取り付けられている。具体的には景観パネル１９の下方部にあっては、その背面に取り付けられたスライドプレート７４と、対応する位置の鋼製矢板２２の前面に取り付けられた固定プレート７５とが、バネプレート７６を介して係合している。一方、景観パネル１９の上方部分の背面と、鋼製矢板２２の上面との間には接続プレート７８が取り付けられ、これらを固定状態としている。これによって鋼製矢板２２の前面上方は景観パネル１９によって囲われ景観効果を奏することになる。
【０００４】
【特許文献１】特開２０００‐６４２４４号公報
【発明の開示】
【発明が解決しようとする課題】
【０００５】
上記のような従来の景観パネルの取付構造では、景観パネル１９の重量は接続プレート７８で受けるためその取付けが完了するまでに景観パネル１９をクレーン等で吊った状態を維持する必要がある。又、景観パネル１９と鋼製矢板２２との間は、スライドプレート７４と固定プレート７５とで密接状態となるため、隣接する鋼製矢板２２の前面が不整列であってもこの間隔を調整することはできない。
【０００６】
更に、景観パネル１９の前面を垂直方向から傾斜させて取り付けるような場合では、景観パネル１９と鋼製矢板２２との間隔は一定距離を前提しているため、このような取付けに対応することが困難である。
【０００７】
この発明は、上記のような課題を解決するためになされたもので、景観パネルの取付けが容易となると共に、前面の傾斜や護岸等の設置体との距離を調整することが容易にできる景観パネル取付構造体を提供することを目的とする。
【課題を解決するための手段】
【０００８】
上記の目的を達成するために、請求項１記載の発明は、護岸等の壁面構造による設置体の前面上方に景観パネルを取り付けるための景観パネル取付構造体であって、設置体の前面に取り付けられた支持体と、景観パネルの背面に取り付けられ、支持体に着脱自在に係合すると共に係合位置を支点として景観パネルを回動自在とするフックと、景観パネルの背面であって、フックより上方の位置と、設置体との間に設けられ、景観パネルの水平方向の位置を固定する水平支持構造とを備えたものである。
【０００９】
このように構成すると、支持体とフックとで景観パネルの垂直位置が保持され、水平支持構造によって景観パネルの水平位置、即ち傾斜度合が調整される。
【００１０】
請求項２記載の発明は、請求項１記載の発明の構成において、支持体は、前面より所定距離離れ、前面に沿って水平方向に伸びる円柱形状を有し、フックは開放部が開いた逆Ｕの字形状の棒体よりなり、その構成面が景観パネルの背面に直交するものである。
【００１１】
このように構成すると、フックの支持体への係合範囲が拡大する。
【００１２】
請求項３記載の発明は、請求項１記載の発明の構成において、フックは、背面より所定距離離れ、背面に沿って水平方向に伸びる円柱形状を有し、支持体は、フックを支持し得る開放部が拡大した半円形状の切欠きをその上辺に有した平板形状を有し、その構成面が設置体の前面に直交するものである。
【００１３】
このように構成すると、フックの支持体への係合範囲が拡大する。
【００１４】
請求項４記載の発明は、請求項１記載の発明の構成において、支持体は、前面に沿って水平方向に伸び、一対の側壁部を有する断面コの字状を有し、開放面を上方とすると共に、側壁部の一方が設置体に取り付けられ、フックは側壁部の他方に係合する開放部が開いた切欠きをその下辺に有した平板形状を有し、その構成面が景観パネルの背面に直交するものである。
【００１５】
このように構成すると、フックの支持体への係合範囲が拡大する。
【００１６】
請求項５記載の発明は、請求項１から請求項４のいずれかに記載の発明の構成において、水平支持構造は、景観パネルに接続される第１ボルトと、設置体に接続される第２ボルトと、第１ボルトと第２ボルトとの間に設けられ、これらの間隔を増減することができるターンバックルとを含むものである。
【００１７】
このように構成すると、ターンバックルの操作によって景観パネルの上方の位置が変化する。
【００１８】
請求項６記載の発明は、請求項１から請求項４のいずれかに記載の発明の構成において、水平支持構造は、背面にその構成面が直交するように取り付けられ、上下方向に伸びる長穴が形成された支持板と、その一端が長穴を介して支持板に上下に移動自在となるように係合する水平アームと、水平アームの他端に接続され、設置体の上面に取り付けられた固定体と、水平アームの他端に接続され、固定体に係合して水平アームの水平位置を変化させる調整手段とを含むものである。
【００１９】
このように構成すると、支持板に形成された長穴と調整手段の機能とによって景観パネルの上方の位置が変化する。
【発明の効果】
【００２０】
以上説明したように、請求項１記載の発明は、支持体とフックとで景観パネルの垂直位置が保持され、水平支持構造によって景観パネルの傾斜度合が調整されるため、景観パネルの設置作業が容易となる。
【００２１】
請求項２記載の発明は、請求項１記載の発明の効果に加えて、フックの支持体への係合範囲が拡大するため、景観パネルの設置作業が更に効率化する。
【００２２】
請求項３記載の発明は、請求項１記載の発明の効果に加えて、フックの支持体への係合範囲が拡大するため、景観パネルの設置作業が更に効率化する。
【００２３】
請求項４記載の発明は、請求項１記載の発明の効果に加えて、フックの支持体への係合範囲が拡大するため、景観パネルの設置作業が更に効率化する。
【００２４】
請求項５記載の発明は、請求項１から請求項４のいずれかに記載の発明の効果に加えて、ターンバックルの操作によって景観パネルの前面の傾斜を所望の程度に容易に調整することができる。
【００２５】
請求項６記載の発明は、請求項１から請求項４のいずれかに記載の発明の効果に加えて、支持板に形成された長穴と調整手段の機能とによって景観パネルの上方の位置が変化するため、景観パネルの前面の傾斜を所望の程度に容易に調整することができる。
【発明を実施するための最良の形態】
【００２６】
図１はこの発明の第１の実施の形態による景観パネル取付構造体の概略構造を示した側面図であり、図２は図１で示したＩＩ−ＩＩラインの断面図であり、図３は図１で示したＩＩＩ−ＩＩＩラインの断面図である。
【００２７】
これらの図を参照して、垂直方向に設置された鋼製矢板２２と、その背面の土砂２３とによって設置体２１が構成されている。景観パネル１９は鋼製矢板２２の前面上方部分に水平支持構造２４及び垂直支持構造３１を介して設置体２１に取り付けられている。
【００２８】
具体的には、水平支持構造２４は、その一端が景観パネル１９の所定位置に形成されたインサートに螺合して取り付けられる埋込みボルト２５と、埋込みボルト２５の他端と取付けボルト２７の一方端とに螺合して、これを回転させることによって埋込みボルト２５と取付けボルト２７との間隔を増減させるターンバックル２６と、取付けボルト２７の他端に固定された平板２９とから構成されている。平板２９には長穴４０が形成され、設置体２１に固定されたアンカーボルト３０に長穴４０を貫通させて、図示しないワッシャーを介してナット３２を締めることによって、平板２９はアンカーボルト３０に固定される。
【００２９】
又、垂直支持構造３１は、開放部が下方部に開いた逆Ｕの字形状の丸棒よりなるフック３４と、これを下方から支持する丸棒等の円柱形状を有する支持体３８を中心として構成されている。フック３４はその構成面が景観パネル１９の背面に直交するように配置され、丸棒の一方部が平板３５に固定され、平板３５はボルト３６ａ，ボルト３６ｂを介して景観パネル１９に取り付けられている。
【００３０】
又、支持体３８は鋼製矢板２２の前面から所定距離離れた位置でその前面に沿って水平方向に伸びるように配置され、その両端部が支持板３９ａ，支持板３９ｂによって支持され、これらは鋼製矢板２２の前面に溶接等によって固定されている。
【００３１】
図４は図１で示した景観パネルの取付け前の状態を示した図であり、図５は図４の状態から取付け後の景観パネルの調整状態を示した側面図である。
【００３２】
図４を参照して、景観パネル１９の取付け時にあっては、ワイヤ４３を介して図示しないクレーン等によって上方から吊り降ろされる。この時、景観パネル１９の背面に形成されたインサート４２には水平支持構造２４の埋込みボルト２５が螺合していない。一方、景観パネル１９の背面下部に固定されているフック３４は下方に開いた状態の逆Ｕの字形状を有しているため、鋼製矢板２２に取り付けられている支持体３８に対して係合範囲が拡がり、これに係合するように容易に吊り降ろすことが可能となる。
【００３３】
図５を参照して、景観パネル１９を下降させてフック３４を支持体３８に係合させると、景観パネル１９は支持体３８によってその上下方向の位置が決まり、景観パネル１９の重量のほぼ全体がフック３４を介して支持体３８に支持されることになる。この状態で水平支持構造２４の埋込みボルト２５を景観パネル１９に取り付け、又、平板２９をアンカーボルト３０に係合させる。このようにして水平支持構造２４を仮設置すると、景観パネル１９の図における左右方向への移動は水平支持構造２４によって阻止され、景観パネル１９の上下方向への移動は支持体３８によって規制されるため、この状態で景観パネル１９から吊り降ろしのためのワイヤ等を取り外すことが可能となる。
【００３４】
又、フック３４は支持体３８に係合しているため、支持体３８を支点として景観パネル１９は回動自在となる。又、フック３４は支持体３８に対して線接触しているため、それらの間に生じる摩擦力は小さくなり、結果としてフック３４を支持体３８の軸方向に対して移動させることが容易となる。これによって図において貫通する方向への景観パネル１９の微調整も容易となる。
【００３５】
上述のように景観パネル１９は鋼製矢板２２に取り付けられるため、図のように景観パネル１９を傾斜させるように設置する場合には、ターンバックル２６を所定の方向に回転させて埋込みボルト２５と取付けボルト２７との間隔を狭めるようにすれば良い。すると上述のように景観パネル１９の下方部は支持体３８を中心として回動自在となっているため、景観パネル１９の前面を所望の傾斜度合に調整することが容易となる。
【００３６】
このようにして景観パネル１９が設置体２１に取り付けられた後、景観パネル１９の背面と鋼製矢板２２の前面との間の隙間及び設置体２１の上面にコンクリートを打設することによって景観パネル１９の取付け作業が完了する。
【００３７】
図６はこの発明の第２の実施の形態による景観パネル取付構造体の水平支持構造の概略構造を示した側面図である。
【００３８】
図を参照して、水平支持構造２４は、景観パネル１９の背面にその構成面が直交するように取り付けられ、上下方向に長穴４６が形成された支持板４５と、支持板４５の長穴４６にボルト５１及びワッシャー５２を介してその一端が係合された水平アーム５０と、水平アーム５０の他端の下方に固定された溝形鋼５４と、溝形鋼５４の下方に伸びる一対の側壁５５ａ，側壁５５ｂを両外側から貫通するように螺合するボルト５６ａ，ボルト５６ｂとから構成されている。
【００３９】
一方、設置体２１の上面には景観パネル１９の取付け方向に平行となるような四角断面形状の鋼材５７が固定されている。
【００４０】
使用時にあっては、景観パネル１９の傾斜は支持板４５の長穴４６によって吸収され、景観パネル１９と設置体２１との間隔の増減は、鋼材５７の両側面に当接状態に取り付けられるボルト５６ａ，ボルト５６ｂの溝形鋼５４に対する螺合度合によって吸収される。これによって、先の実施の形態と同様に景観パネル１９の設置体２１に対する傾斜度合を容易に調整して固定状態とすることが可能となる。
【００４１】
図７はこの発明の第３の実施の形態による景観パネル取付構造体の垂直支持構造の概略構造を示した側面図である。
【００４２】
図を参照して、垂直支持構造３１を構成する丸棒５９は先の第１の実施の形態とは異なり景観パネル１９の背面側に取り付けられている。即ち、丸棒５９は景観パネル１９の背面から所定距離離れた位置にその背面に水平方向に沿うように配置され、その両端が支持板６０ａ，支持板６０ｂによって支持され、これらは平板３５を介してボルト３６によって景観パネル１９に固定されている。
【００４３】
一方、鋼製矢板２２の前面には、その構成面が鋼製矢板２２の前面に対して直径方向に配置され、その上辺には丸棒５９を支持し得る凹み部６２が形成されている支持体６１が固定されている。尚、凹み部６２は単なる半円形状ではなく、上方に向かって広がるような形状を有している。即ち、景観パネル１９を吊り降ろした際の丸棒５９に対する凹み部６２の係合可能な範囲を拡大するように構成されている。これによって、先の第１の実施の形態と同様に景観パネル１９の設置作業が容易となる。又、設置後における景観パネル１９は丸棒５９を軸中心として回動自在となり、又、丸棒５９の軸方向に対する移動の際に生じる摩擦力も低減する。
【００４４】
図８はこの発明の第４の実施の形態による景観パネル取付構造体の垂直支持構造の概略構造を示した側面図である。
【００４５】
図を参照して、垂直支持構造３１は景観パネル１９に取り付けられるフック６７と、鋼製矢板２２に取り付けられる支持鋼材６４とから構成されている。フック６７は、平板形状を有しており、その構成面が景観パネル１９の背面に直交する方向に平板３５を介してボルト３６によって取り付けられている。フック６７の下方には切欠き６８が形成されている。切欠き６８は、下方に向かって広がるような形状を有しており、水平に伸びる頂辺６９と、頂辺６９の両端部に接続され傾斜状態で伸びる第１辺７０及び第２辺７１により構成されている。
【００４６】
一方、支持鋼材６４は溝形鋼よりなり、その開放部分が上方に向かうように配置される。そして上下に伸びる一対の側壁部となる支持部６５ａ，支持部６５ｂのうち、支持部６５ｂが鋼製矢板２２の前面に沿うように固定されている。
【００４７】
景観パネル１９の鋼製矢板２２に対する取付け位置にあっては、フック６７の切欠き６８が支持鋼材６４の支持部６５ａに係合する。この時、切欠き６８は下方に向かって広がるような形状を有しているため、支持部６５ａに対するフック６７の上方からの係合範囲が広くなる。
【００４８】
又、この実施の形態にあっては、頂辺６９のフック６７の下辺７２への垂直投影距離Ａは、支持部６５ａの垂直距離Ｂより小さくなるように設定されている。従って、フック６７が支持鋼材６４に係合すると、図の２点鎖線で示されているように、切欠き６８の頂辺６９が支持鋼材６４の支持部６５ａの上方端に当接状態となる。そのため、この当接状態にあっては、支持部６５ａの上方端を支点としてフック６７即ち景観パネル１９は回動自在に支持されることになる。又、フック６７は平板形状を有しているため、頂辺６９の図面において貫通する方向の厚さは小さいため、その方向への移動の際に生じる摩擦力は低減される。
【００４９】
図９はこの発明の第５の実施の形態による景観パネル取付構造体の垂直支持構造の概略構造を示した図であって、図８の実施の形態によるものに対応したものである。
【００５０】
図を参照して、鋼製矢板２２側に取り付けられる支持鋼材６４の形状は図８の実施の形態によるものと同一であるが、景観パネル１９側に取り付けられるフック６７の形状が若干異なっている。即ち、切欠き６８を構成する頂辺６９及び第１辺７０は先の実施の形態と同一であるが、第２辺７１はそれとは異なり垂直方向に伸びるように形成されている点が異なっている。
【００５１】
これによって、支持部６５ａの上端を支点とした景観パネル１９の時計方向回りの回転は可能であるが、反時計方向回りの回転は規制されることになる。その結果、景観パネル１９の垂直度が容易に確認できると共に規制できるため、用途に応じた設置作業が効率化する。
【００５２】
図１０はこの発明の第６の実施の形態による景観パネル取付構造体の垂直支持構造の概略構造を示した側面図であって、図８の実施の形態によるものに対応したものである。
【００５３】
図を参照して、鋼製矢板２２に取り付けられる支持鋼材６４は図８に示したものと同一であるが、景観パネル１９に取り付けられるフック６７の形状が若干異なっている。即ち、切欠き６８を構成する頂辺６９及び第２辺７１は図８によるものと同一であるが、第１辺７０が垂直方向に伸びるように形成されている点が異なっている。尚、頂辺６９の垂直投影距離Ａと支持部６５ａの垂直距離Ｂとの関係は図８によるものと同一である。従って、景観パネル１９が鋼製矢板２２に取り付けられた状態にあっては、支持部６５ａの上方端を支点として景観パネル１９は反時計方向回りには回動自在であるが、時計方向回りには第１辺７０が支持部６５ａに当接することによって規制されることになる。これによって、用途に応じて景観パネル１９の一方向への規制が可能となることにより設置作業が効率化する。
【００５４】
図１１はこの発明の第７の実施の形態による景観パネル取付構造体の垂直支持構造の概略構造を示した側面図であって、図９の実施の形態によるものに対応したものである。
【００５５】
図を参照して、鋼製矢板２２に取り付けられる支持鋼材６４は図９によるものと同一であるが、景観パネル１９に取り付けられるフック６７は図９によるものと若干異なっている。即ち、切欠き６８を構成する頂辺６９及び第１辺７０は図９によるものと同一であるが、第２辺７１は図９によるものに比べてその形成長さが大きく設定されている。具体的には、頂辺６９のフック６７の下辺に対する垂直投影距離Ａは、支持部６５ａの垂直距離Ｂより大きくなるように設定されている。
【００５６】
これによって景観パネル１９と鋼製矢板２２との係合状態にあっては、フック６７の下辺が支持鋼材６４の上面に当接状態となり、頂辺６９と支持部６５ａの上方端とは当接状態にはならない。そのため、景観パネル１９は支持鋼材６４の上面によって上下方向に支持され、第２辺７１によって反時計方向回りの回転が規制されることになる。その結果、用途に応じて適切な規制ができることになり、設置作業が効率化する。
【００５７】
図１２はこの発明の第８の実施の形態による景観パネル取付構造体の垂直支持構造の概略構造を示した側面図であって、図１０に示した実施の形態によるものに対応するものである。
【００５８】
図を参照して、鋼製矢板２２に取り付けられる支持鋼材６４は図１０によるものと同一であるが、景観パネル１９に取り付けられるフック６７は若干異なっている。即ち、頂辺６９の下辺７２に対する垂直投影距離Ａが支持部６５ａの垂直距離Ｂより大きくなるように設定されている。これによって景観パネル１９が鋼製矢板２２によって支持された状態にあっては、頂辺６９と支持部６５ａの上方端とは当接状態とはならず、下辺７２が支持鋼材６４の上面に当接状態となる。その結果、景観パネル１９は支持鋼材６４の上面において支持され、第１辺７０によって時計方向回りの回転が規制されることになる。これによって用途に応じて適切な規制をすることが可能となるため、設置作業が効率化する。
【００５９】
図１３はこの発明の第９の実施の形態による景観パネル取付構造体の垂直支持構造の概略構造を示した側面図であって、図８に示した実施の形態によるものに対応したものである。
【００６０】
図を参照して、鋼製矢板２２に取り付けられている支持鋼材６４は図８によるものと同一であるが、景観パネル１９に取り付けられているフック６７の形状が若干異なっている。即ち、頂辺６９の下辺７２に対する垂直投影距離Ａが支持部６５ａの垂直距離Ｂより大きくなるように設定されている。これによって景観パネル１９が鋼製矢板２２に支持された状態にあっては、頂辺６９は支持部６５ａの上方端とは十分な当接状態とはならず、フック６７の下辺７２が支持鋼材６４の上面に主に当接し、その重量を受けることになる。切欠き６８は図８によるものと同様に第１辺７０及び第２辺７１が下方に向かって開く方向に傾斜しているため、景観パネル１９は時計方向回り及び反時計方向回りに対して規制されず、移動可能な状態となる。このようにして、用途に応じて景観パネル１９の支持状態を変えることができるため、設置作業が効率化する。
【００６１】
尚、上記の実施の形態では、水平支持構造としてターンバックル等の水平位置調整機構を有しているが、この調整機構は必ずしも必要なものではない。
【００６２】
又、上記の実施の形態では、フックは第３の実施の形態を除いて下方に拡がるように構成されているが、必ずしも拡がらなくても良い。
【００６３】
更に、上記の第３の実施の形態では、凹み部は上方に拡がるように構成されているが、必ずしも拡がらなくても良い。
【００６４】
更に、上記の第４から第９の実施の形態では、支持鋼材として溝型鋼を使用しているが、これに代えて鋼製矢板の前面に所定距離離れて並行に延びる平板を鋼製矢板に取り付けるように構成しても良い。
【００６５】
更に、上記の実施の形態では、景観パネルに取り付けられたインサートを利用して埋め込みボルトや取付ボルトを取り付けているが、これらをアンカーボルトとして景観パネルに取り付けたものを使用しても良い。
【００６６】
更に、上記の実施の形態では、鋼製矢板を用いた護岸構造を前提としているが、これに代えてコンクリート擁壁、土留壁、コンクリート矢板等からなる壁面構造よりなる設置体に対しても同様に適用できることは言うまでもない。
【００６７】
更に、上記の実施の形態では、垂直支持構造を景観パネルの下方部に設置しているが、使用場所の最高水位に応じて上方に設置すれば水位の変化に影響されることなく設置作業ができる。
【図面の簡単な説明】
【００６８】
【図１】この発明の第１の実施の形態による景観パネル取付構造体の概略構造を示した側面図である。
【図２】図１で示したＩＩ−ＩＩラインの断面図である。
【図３】図１で示したＩＩＩ−ＩＩＩラインの断面図である。
【図４】図１で示した景観パネル取付構造体における景観パネルの取付け工程の一部を示した概略側面図である。
【図５】図４に示した状態から取り付けられた景観パネルの設置調整状態を示した概略側面図である。
【図６】この発明の第２の実施の形態による景観パネル取付構造体の水平支持構造の概略構造を示した側面図である。
【図７】この発明の第３の実施の形態による景観パネル取付構造体の垂直支持構造の概略構造を示した側面図である。
【図８】この発明の第４の実施の形態による景観パネル取付構造体の垂直支持構造の概略構造を示した側面図である。
【図９】この発明の第５の実施の形態による景観パネル取付構造体の垂直支持構造の概略構造を示した側面図である。
【図１０】この発明の第６の実施の形態による景観パネル取付構造体の垂直支持構造の概略構造を示した側面図である。
【図１１】この発明の第７の実施の形態による景観パネル取付構造体の垂直支持構造の概略構造を示した側面図である。
【図１２】この発明の第８の実施の形態による景観パネル取付構造体の垂直支持構造の概略構造を示した側面図である。
【図１３】この発明の第９の実施の形態による景観パネル取付構造体の垂直支持構造の概略構造を示した側面図である。
【図１４】従来の景観パネルの取付構造を示す概略側面図である。
【符号の説明】
【００６９】
１７…景観パネル取付構造体
１９…景観パネル
２１…設置体
２４…水平支持構造
２５…埋込みボルト
２６…ターンバックル
２７…取付けボルト
３１…垂直支持構造
３４，６７…フック
３８，６１…支持体
４５…支持板
４６…長穴
５０…水平アーム
５４…溝形鋼
５６…ボルト
５７…鋼材
５９…丸棒
６２…凹み部
６４…支持鋼材
６５…支持部
６８…切欠き
７０…第１辺
７１…第２辺
尚、各図中同一符号は同一又は相当部分を示す。
【図１】
2007002543.tif 000003
【図２】
2007002543.tif 000004
【図３】
2007002543.tif 000005
【図４】
2007002543.tif 000006
【図５】
2007002543.tif 000007
【図６】
2007002543.tif 000008
【図７】
2007002543.tif 000009
【図８】
2007002543.tif 000010
【図９】
2007002543.tif 000011
【図１０】
2007002543.tif 000012
【図１１】
2007002543.tif 000013
【図１２】
2007002543.tif 000014
【図１３】
2007002543.tif 000015
【図１４】
2007002543.tif 000016